(57)【要約】【課題】伝送路で結ばれた全ＰＯＳ端末でデータを相互にバックアップするシステムに比べ、各端末当りの所要データ記憶容量を少なくすることが出来、更に、現実に確保可能なデータ記憶容量に合わせてフレキシブルなバックアップシステムを容易に構築することが出来るようにする。【解決手段】各ＰＯＳ端末装置１１〜１６をその所属グループに分け、同じグループに所属するＰＯＳ端末で同じ売上データを夫々保有することによってデータをバックアップし、且つ、各ＰＯＳ端末装置について所属グループを可変設定可能にする。【選択図】　　　図１
2004078415.tif 000002
【特許請求の範囲】
【請求項１】
データ処理機能部、データ蓄積機能部及びデータ通信機能部を各備えた複数のデータ処理装置を伝送路で結び、
前記複数の各データ処理装置のデータ蓄積機能部には、本来のデータ処理乃至蓄積の対象とされる処理対象データの他に、自己を特定する番号乃至符号を表す第１のデータと、自己の所属するグループを表す第２のデータと、自己及び他の各データ処理装置に割り当てられた番号乃至符号と前記グループとの対応関係を表す第３のデータとの３種類のデータを、前記データ通信機能部で認識可能に且つ少なくとも第３のデータについては可変設定可能に保有させ、
前記伝送路で結ばれた複数のデータ処理装置のうち、前記データ通信機能部でデータ蓄積機能部に保有された前記第３のデータを認識することにより同一のグループに所属するものと認識される同士で、相互に自己の保有する前記処理対象データを授受可能にし、且つ、各自が受信した当該処理対象データを自己のデータ蓄積機能部に蓄積可能にすることを特徴とするデータバックアップ方法。
【請求項２】
請求項１のデータバックアップ方法において、更に、前記複数のデータ処理装置の何れかにおいて自己のデータ蓄積機能部に保有する前記処理対象データ中少なくとも所定の種類のデータに関する更新が発生したときには、当該更新が発生した一のデータ処理装置から、前記データ通信機能部でデータ蓄積機能部に保有された前記第３のデータを認識することにより同一のグループに所属するものと認識される他の全てのデータ処理装置に前記更新の内容を前記伝送路を通して伝送させ、
前記伝送路を通して当該更新の内容を受信した前記同一のグループに所属するものと認識される他の全てのデータ処理装置に、各自のデータ蓄積機能部に保有するデータの内容を前記更新が反映された状態に夫々改訂させ、
前記の改訂によって、前記同一のグループに所属するものと認識される複数のデータ処理装置の全てが少なくとも前記所定の種類のデータに関しては等しい内容のものを各自のデータ蓄積機能部に保有した状態を現出可能にすることを特徴とするデータバックアップ方法。
【請求項３】
請求項１のデータバックアップ方法において、更に、前記データ蓄積機能部に保有された第３のデータである自己及び他の各データ処理装置に割り当てられた当該データ処理装置の番号乃至符号と前記グループとの対応関係を所要に応じて組み替えることを特徴とするデータバックアップ方法。
【請求項４】
請求項２のデータバックアップ方法において、更に、前記データ通信機能部でデータ蓄積機能部に保有された前記第３のデータを認識することによっては何れのグループにも所属するものと認識されないデータ処理装置で発生したデータの更新は他の何れのデータ処理装置にも伝送しないことを特徴とするデータバックアップ方法。
【請求項５】
請求項２のデータバックアップ方法において、更に、前記データ通信機能部でデータ蓄積機能部に保有された前記第３のデータを認識することによっては何れのグループにも所属するものと認識されないデータ処理装置で発生したデータの更新は他の何れのデータ処理装置によっても受信しないことを特徴とするデータバックアップ方法。
【請求項６】
請求項１のデータバックアップ方法において、更に、前記各データ処理装置のデータ蓄積機能部に保有された第２のデータである自己の所属するグループを表すデータとして自然数を割り当てることを特徴とするデータバックアップ方法。
【請求項７】
請求項４又は５のデータバックアップ方法において、更に、前記データ通信機能部でデータ蓄積機能部に保有された前記第３のデータを認識することによっては何れのグループにも所属するものと認識されないデータ処理装置について、そのデータ蓄積機能部に保有される第２のデータである自己の所属するグループを表すデータとして０を割り当てることを特徴とするデータバックアップ方法。
【請求項８】
データ処理機能部、データ蓄積機能部及びデータ通信機能部を各備えた複数のデータ処理装置を伝送路で結ぶことにより構成されたデータバックアップシステムであって、
前記複数の各データ処理装置のデータ蓄積機能部は、本来のデータ処理乃至蓄積の対象とされる処理対象データの他に、自己を特定する番号乃至符号を表す第１のデータと、自己の所属するグループを表す第２のデータと、自己及び他の各データ処理装置に割り当てられた番号乃至符号と前記グループとの対応関係を表す第３のデータとの３種類のデータを、前記データ通信機能部で認識可能に且つ少なくとも第３のデータについては可変設定可能に保有するようになされ、
前記複数の各データ処理装置のデータ通信機能部は、前記データ蓄積機能部に保有された前記第３のデータを認識することにより自己と同一のグループに所属するデータ処理装置であるものを識別可能になされ、且つ、同一のグループに所属すると認識されるデータ処理装置相互間で各自の保有する前記処理対象データを授受可能にし、且つ、各自が受信した当該処理対象データを各自己のデータ蓄積機能部に蓄積可能にするようになされたことを特徴とするデータバックアップシステム。
【請求項９】
前記各データ処理装置は、更に、自己のデータ蓄積機能部に保有する前記処理対象データ中少なくとも所定の種類のデータに関する更新が発生したときには、当該更新が発生した一のデータ処理装置から、前記データ通信機能部でデータ蓄積機能部に保有された前記第３のデータを認識することにより同一のグループに所属するものと認識される他の全てのデータ処理装置に前記更新の内容を前記伝送路を通して伝送するように構成されたものであることを特徴とする請求項８に記載のデータバックアップシステム。
【請求項１０】
前記伝送路を通して当該更新の内容を受信した前記同一のグループに所属するものと認識される他の全てのデータ処理装置は、各自のデータ蓄積機能部に保有するデータの内容を前記更新が反映された状態に夫々改訂し、当該改訂によって、前記同一のグループに所属するものと認識される複数のデータ処理装置の全てが少なくとも前記所定の種類のデータに関しては等しい内容のものを各自のデータ蓄積機能部に保有した状態を現出可能となるように構成されたものであることを特徴とする請求項９に記載のデータバックアップシステム。
【請求項１１】
前記複数のデータ処理装置は更に、それらのうち当該データ通信機能部でデータ蓄積機能部に保有された前記第３のデータを認識することによっては何れのグループにも所属するものと認識されないデータ処理装置で発生したデータの更新は他の何れのデータ処理装置にも伝送しないように構成されたことを特徴とする請求項９に記載のデータバックアップシステム。
【請求項１２】
前記複数のデータ処理装置は、更に、それらのうち当該データ通信機能部でデータ蓄積機能部に保有された前記第３のデータを認識することによっては何れのグループにも所属するものと認識されないデータ処理装置で発生したデータの更新は他の何れのデータ処理装置によっても受信しないように構成されたことを特徴とする請求項９に記載のデータバックアップシステム。
【請求項１３】
前記各データ処理装置は、夫々ＰＯＳ端末装置を構成するものであることを特徴とする請求項８に記載のデータバックアップシステム。
【発明の詳細な説明】
【０００１】
【発明の属する技術分野】
本発明は、複数台のデータ処理装置（例えばＰＯＳ端末装置）が相互にデータの伝送路で結ばれたシステム（ＰＯＳシステム：販売時点管理システム）に適用される売上登録情報等のデータのバックアップ方法、並びに、このようなデータバックアップ方法を実行するシステムに関する。
【０００２】
【従来の技術】
従来、店舗等に設置されるデータ処理装置とデータ集計機能を備えたサーバーとが伝送路で結ばれたＰＯＳシステムでは、データ処理装置で発生した売上データ（ＰＯＳデータ）はリアルタイムにサーバーにデータを伝送し、サーバー側で集計処理している。尚、売上データは店舗における規定などに準拠して所定の運用日付毎に区分して集計処理すると共に、勤怠のデータ等も併せてマスタデータとして管理するといった運用がなされることもある。
【０００３】
複数台のＰＯＳ端末装置が伝送路（通信回線）で接続されたＰＯＳシステムでは、売上データ等のバックアップは任意または固定で設定されたマスタ装置とバックアップ装置が相互間でデータを共通に記憶していた。しかし、マスタ装置やバックアップ装置が障害によりダウンしてしまうとデータ復旧ができなくなり、システム上の他のＰＯＳ端末装置で売上保留データの呼び出し、勤怠処理ができなくなってしまうといった問題があった。
【０００４】
このような問題に対処すべく、従来より種々の提案がなされている。例えば、特開昭６３−１１８８６０号公報、特開平１０−１２４３７７号公報、特開２０００−３０５８３１号公報、特開２００１−９３０４７号公報等々には、データの処理乃至蓄積を複数の同種の機能を持つ装置で並行して（分散して）実行することによってシステムがダウンしてもデータのバックアップとリカバリが確保されるようにする方法の改善について提案されている。
【０００５】
【発明が解決しようとする課題】
しかしながら、従来の提案によるシステムでは、何れも、マスタやバックアップ機が障害によりダウンしてしまうとデータ復旧ができなくなったり、或いは又、データの復旧だけは確保されるようにすると、全ＰＯＳ端末でデータを共有することになり、データ蓄積領域の容量に余裕がなかった場合にはこれらのバックアップシステムを構築すること自体が困難になってしまっていた。また、例えば、商業戦略上の理由等からＰＯＳシステムを適用する店舗の形態や規模或いは組織形態が変化した場合にも、システムの基本的構成を変えることなくデータバックアップの機能についてはこの変化に適合させるように融通を図ったりすることは容易ではなかった。
【０００６】
そこで、本発明の目的は、障害が起こった際にデータ復旧元になるデータ処理装置を多くとることによりシステムの信頼性向上が図られる一方、伝送路で結ばれた全てのデータ処理装置（ＰＯＳ端末）でデータを相互にバックアップするシステムに比べ、各データ処理装置当りの所要データ記憶容量を少なくすることが出来、更に、システムを適用しようとする店舗その他の場所での状況や、現実に確保可能なデータ記憶容量に合わせてフレキシブルなバックアップシステムを容易に構築することが出来るデータバックアップ方法及びこの方法を実行するシステムを提供することにある。
【０００７】
【課題を解決するための手段】
上述の課題を解決するため、本発明は、次のような特徴的な構成を採用している。
【０００８】
（１）データ処理機能部、データ蓄積機能部及びデータ通信機能部を各備えた複数のデータ処理装置を伝送路で結び、
前記複数の各データ処理装置のデータ蓄積機能部には、本来のデータ処理乃至蓄積の対象とされる処理対象データの他に、自己を特定する番号乃至符号を表す第１のデータと、自己の所属するグループを表す第２のデータと、自己及び他の各データ処理装置に割り当てられた番号乃至符号と前記グループとの対応関係を表す第３のデータとの３種類のデータを、前記データ通信機能部で認識可能に且つ少なくとも第３のデータについては可変設定可能に保有させ、
前記伝送路で結ばれた複数のデータ処理装置のうち、前記データ通信機能部でデータ蓄積機能部に保有された前記第３のデータを認識することにより同一のグループに所属するものと認識される同士で、相互に自己の保有する前記処理対象データを授受可能にし、且つ、各自が受信した当該処理対象データを自己のデータ蓄積機能部に蓄積可能にするデータバックアップ方法。
【０００９】
（２）上記（１）のデータバックアップ方法において、更に、前記複数のデータ処理装置の何れかにおいて自己のデータ蓄積機能部に保有する前記処理対象データ中少なくとも所定の種類のデータに関する更新が発生したときには、当該更新が発生した一のデータ処理装置から、前記データ通信機能部でデータ蓄積機能部に保有された前記第３のデータを認識することにより同一のグループに所属するものと認識される他の全てのデータ処理装置に前記更新の内容を前記伝送路を通して伝送させ、
前記伝送路を通して当該更新の内容を受信した前記同一のグループに所属するものと認識される他の全てのデータ処理装置に、各自のデータ蓄積機能部に保有するデータの内容を前記更新が反映された状態に夫々改訂させ、
前記の改訂によって、前記同一のグループに所属するものと認識される複数のデータ処理装置の全てが少なくとも前記所定の種類のデータに関しては等しい内容のものを各自のデータ蓄積機能部に保有した状態を現出可能にするデータバックアップ方法。
【００１０】
（３）上記（１）のデータバックアップ方法において、更に、前記データ蓄積機能部に保有された第３のデータである自己及び他の各データ処理装置に割り当てられた当該データ処理装置の番号乃至符号と前記グループとの対応関係を所要に応じて組み替えるデータバックアップ方法。
【００１１】
（４）上記（２）のデータバックアップ方法において、更に、前記データ通信機能部でデータ蓄積機能部に保有された前記第３のデータを認識することによっては何れのグループにも所属するものと認識されないデータ処理装置で発生したデータの更新は他の何れのデータ処理装置にも伝送しないデータバックアップ方法。
【００１２】
（５）上記（２）のデータバックアップ方法において、更に、前記データ通信機能部でデータ蓄積機能部に保有された前記第３のデータを認識することによっては何れのグループにも所属するものと認識されないデータ処理装置で発生したデータの更新は他の何れのデータ処理装置によっても受信しないデータバックアップ方法。
【００１３】
（６）上記（１）のデータバックアップ方法において、更に、前記各データ処理装置のデータ蓄積機能部に保有された第２のデータである自己の所属するグループを表すデータとして自然数を割り当てるデータバックアップ方法。
【００１４】
（７）上記（４）又は（５）のデータバックアップ方法において、更に、前記データ通信機能部でデータ蓄積機能部に保有された前記第３のデータを認識することによっては何れのグループにも所属するものと認識されないデータ処理装置について、そのデータ蓄積機能部に保有される第２のデータである自己の所属するグループを表すデータとして０を割り当てるデータバックアップ方法。
【００１５】
（８）データ処理機能部、データ蓄積機能部及びデータ通信機能部を各備えた複数のデータ処理装置を伝送路で結ぶことにより構成されたデータバックアップシステムであって、
前記複数の各データ処理装置のデータ蓄積機能部は、本来のデータ処理乃至蓄積の対象とされる処理対象データの他に、自己を特定する番号乃至符号を表す第１のデータと、自己の所属するグループを表す第２のデータと、自己及び他の各データ処理装置に割り当てられた番号乃至符号と前記グループとの対応関係を表す第３のデータとの３種類のデータを、前記データ通信機能部で認識可能に且つ少なくとも第３のデータについては可変設定可能に保有するようになされ、
前記複数の各データ処理装置のデータ通信機能部は、前記データ蓄積機能部に保有された前記第３のデータを認識することにより自己と同一のグループに所属するデータ処理装置であるものを識別可能になされ、且つ、同一のグループに所属すると認識されるデータ処理装置相互間で各自の保有する前記処理対象データを授受可能にし、且つ、各自が受信した当該処理対象データを各自己のデータ蓄積機能部に蓄積可能にするようになされたデータバックアップシステム。
【００１６】
（９）前記各データ処理装置は、更に、自己のデータ蓄積機能部に保有する前記処理対象データ中少なくとも所定の種類のデータに関する更新が発生したときには、当該更新が発生した一のデータ処理装置から、前記データ通信機能部でデータ蓄積機能部に保有された前記第３のデータを認識することにより同一のグループに所属するものと認識される他の全てのデータ処理装置に前記更新の内容を前記伝送路を通して伝送するように構成されたものである上記（８）のデータバックアップシステム。
【００１７】
（１０）前記伝送路を通して当該更新の内容を受信した前記同一のグループに所属するものと認識される他の全てのデータ処理装置は、各自のデータ蓄積機能部に保有するデータの内容を前記更新が反映された状態に夫々改訂し、当該改訂によって、前記同一のグループに所属するものと認識される複数のデータ処理装置の全てが少なくとも前記所定の種類のデータに関しては等しい内容のものを各自のデータ蓄積機能部に保有した状態を現出可能となるように構成されたものである上記（９）のデータバックアップシステム。
【００１８】
（１１）前記複数のデータ処理装置は更に、それらのうち当該データ通信機能部でデータ蓄積機能部に保有された前記第３のデータを認識することによっては何れのグループにも所属するものと認識されないデータ処理装置で発生したデータの更新は他の何れのデータ処理装置にも伝送しないように構成された上記（９）のデータバックアップシステム。
【００１９】
（１２）前記複数のデータ処理装置は更に、それらのうち当該データ通信機能部でデータ蓄積機能部に保有された前記第３のデータを認識することによっては何れのグループにも所属するものと認識されないデータ処理装置で発生したデータの更新は他の何れのデータ処理装置によっても受信しないように構成された上記（９）のデータバックアップシステム。
【００２０】
（１３）前記各データ処理装置は夫々ＰＯＳ端末装置を構成するものである上記（８）のデータバックアップシステム。
【００２１】
【発明の実施の形態】
以下、本発明のデータバックアップ方法及びこの方法を実施するシステムの好適実施形態について詳細に説明する。
【００２２】
図１は本発明のデータバックアップ方法を適用するシステムを説明するための概念図である。
【００２３】
図１において、本発明のシステムは、複数台のデータ処理装置（本例ではＰＯＳ端末装置）１１、１２、１３、１４、１５、１６がハブ１７を介してＬＡＮ接続されて構成される。
各ＰＯＳ端末装置１１、１２、１３、１４、１５、１６は、夫々売上明細データ、勤怠データなど、バックアップが必要なデータをこれらＬＡＮ上に接続されたＰＯＳ端末装置のうち同じグループに所属する複数のものにより夫々保持するようになされ、様々な原因によるＰＯＳ端末の障害時のデータ復旧を容易に確実に行なうことができる。本実施形態では、各データ処理装置（本例ではＰＯＳ端末装置）１１、１２、１３、１４、１５、１６は夫々相似的な構成及び機能を有する。
【００２４】
図２は図１の各相似的な構成及び機能を有する各データ処理装置としてのＰＯＳ端末装置１１、１２、１３、１４、１５、１６の構成を示すブロック図である。
【００２５】
一つのデータ処理装置（ＰＯＳ端末装置）は、各メニュー登録等に使われる入力装置２１と、この入力装置２１から入力されたデータを処理するデータ処理機能部としての入力データ処理部２２と、この入力データ処理部２２の出力に基づいて入力装置２１から入力されたデータを画面に表示するための画面表示部２３と、入力データ処理部２２の出力に基づいて入力装置２１から入力されたデータ及び後述するその他のデータを記憶するデータ蓄積機能部としての記憶装置２４と、ＬＡＮを通して本ＰＯＳ端末装置相互間でデータ通信を行なうためのデータ通信機能部としてのＬＡＮ通信部２９を含んで構成される。記憶装置２４内には複数の記憶部２５、２６、２７、２８が設けられている。
【００２６】
図３は記憶装置２４内のこれら記憶部２６、２７、２８におけるデータの蓄積状況の詳細を示す概念図である。記憶装置２４内のこれら各記憶部２６、２７、２８には上述のようにして入力装置２１から入力されたデータが蓄積され、或いはまた、ＬＡＮ通信部２９を通して取得されたデータも蓄積される。
【００２７】
一方、データ処理装置（各ＰＯＳ端末装置１１、１２、１３、１４、１５、１６）のデータ蓄積機能部（記憶装置２４）には、本来のデータ処理乃至蓄積の対象とされる処理対象データ（記憶部２６、２７、２８に蓄積されたデータ）の他に、自己を特定する番号乃至符号を表す第１のデータ（例えば、後述の端末番号）と、自己の所属するグループを表す第２のデータ（例えば、後述のグループ番号）と、自己及び他の各データ処理装置に割り当てられた番号乃至符号と上記グループとの対応関係を表す第３のデータとの３種類のデータ（例えば、後述の端末番号とグループ番号との組合わせ）が、上記データ通信機能部（ＬＡＮ通信部２９）で認識可能に且つ少なくとも第３のデータについては可変設定可能に保有されている。この状況を次に図面を伴って説明する。
【００２８】
図４（Ａ）、（Ｂ）は、記憶装置２４内の上記複数の記憶部のうち記憶部２５におけるデータの保有状況を示す概念図である。図４（Ａ）に図示のように、記憶部２５の一部にはＬＡＮ接続された各ＰＯＳ端末装置１１、１２、１３、１４、１５、１６に対して割り振られた端末番号のデータが上述の第１のデータとして、また自己（ＰＯＳ端末装置）が所属するものとして割り当てられたグループ番号のデータが上述の第２のデータとして記憶されている。また、図４（Ｂ）に図示のように、記憶部２５の他部には端末番号とグループ番号との組合わせを表すデータが上述の第３のデータとして記憶されている。
【００２９】
図４（Ａ）に一般的に表された端末番号のデータは、ＰＯＳ端末１１は端末番号１、ＰＯＳ端末１２は端末番号２、ＰＯＳ端末１３は端末番号３、ＰＯＳ端末１４は端末番号４、ＰＯＳ端末１５は端末番号５、ＰＯＳ端末１６は端末番号６になっている。そのため、図４（Ｂ）に例示の場合では、ＰＯＳ端末１１、１２、１３（端末番号１、２、３）はグループ１に属し、ＰＯＳ端末１４、１５、１６（端末番号４、５、６）はグループ２に属する。このように、本実施形態では、第２のデータである自己の所属するグループを表すデータとして、通常の場合は、自然数を割り当てる。また、第３のデータである自己及び他の各データ処理装置に割り当てられた各データ処理装置の番号乃至符号と上記グループとの対応関係を所要に応じて組み替えることが可能になされている。
【００３０】
本発明では、上記複数のデータ処理装置の何れかにおいて自己のデータ蓄積機能部に保有する上記処理対象データ中少なくとも所定の種類のデータに関する更新が発生したときには、当該更新が発生した一のデータ処理装置から、上記データ通信機能部でデータ蓄積機能部に保有された上記第３のデータを認識することにより同一のグループに所属するものと認識される他の全てのデータ処理装置に上記更新の内容を上記伝送路を通して伝送させ、
上記伝送路を通して当該更新の内容を受信した上記同一のグループに所属するものと認識される他の全てのデータ処理装置に、各自のデータ蓄積機能部に保有するデータの内容を上記更新が反映された状態に夫々改訂させ、
上記の改訂によって、上記同一のグループに所属するものと認識される複数のデータ処理装置の全てが少なくとも上記所定の種類のデータに関しては等しい内容のものを各自のデータ蓄積機能部に保有した状態を現出可能にする。
【００３１】
上記を図示の実施形態に即して言えば、例えばＰＯＳ端末１１で売上登録処理終了後、ＬＡＮ通信部２９では、売上登録処理が行なわれたＰＯＳ端末１１と同じグループ番号を持つＰＯＳ端末を記憶部２５内のデータを元に検索する。図示の例でいうとＰＯＳ端末１２と１３がＰＯＳ端末１１と同一のグループ番号と判断できるので、ＬＡＮ通信部２９はそれらのＰＯＳ端末へ記憶部２６、２７、２８へ記憶された売上情報を送信する。データを受信した各ＰＯＳ端末１２と１３において、受信データは記憶装置２４の記憶部２６、２７、２８へ記憶される。これにより、ＬＡＮ接続された全てのＰＯＳ端末の中で同一のグループ番号を持つＰＯＳ端末の記憶装置２４内の記憶部２６、２７、２８のデータ内容が同じになってこれらのデータに関するバックアップが図られる。
【００３２】
また、ＰＯＳ端末１５で売上登録が行なわれた場合、上述と同様に、同じグルプ番号を持つＰＯＳ端末１４と１６へ売上情報が伝送され、データがバックアップされる。
【００３３】
またこの実施形態では、特別に、グループ番号として０（ゼロ）が敢えて割り当てられたＰＯＳ端末で売上登録処理が行なわれた場合は、上記データ通信機能部で第３のデータを認識することによっては何れのグループにも所属するものと認識されず、何れのＰＯＳ端末へも記憶部２５、２６、２７のデータは送信されず、且つ、他のＰＯＳ端末からもデータを受信しない。
【００３４】
以上の実施形態においては、ＬＡＮ接続された各ＰＯＳ端末のうち同一グループ番号を持つＰＯＳ端末同士で売上登録情報を保持するため、特定のＰＯＳ端末に障害が発生しても、同一グループ内の他のＰＯＳ端末内に同じ情報が記憶されているためにデータをリカバリーすることができる。
【００３５】
また、マスタ機、バックアップ機がそれぞれ一台ずつのシステムに比べ、障害が起こった際にデータ復旧元になるＰＯＳ端末を多くとることができる。
【００３６】
更に、全ＰＯＳ端末でデータを相互にバックアップするシステムに比べ、同一グループ番号のＰＯＳ端末のデータのみを保持すれば良く、従って、各ＰＯＳ端末における所要のデータ容量が軽減される。
【００３７】
更にまた、各ＰＯＳ端末のグループ番号を変更することにより、本実施形態の方法乃至システムを適用する店舗等においては、運用に最も適合したフレキシブルなバックアップシステムを容易に構築でき、広範囲な店舗形態のＰＯＳシステムを実現できる。さらに、現実に採用可能な仕様のＰＯＳ端末内の記憶容量に合った、さまざまなバックアップシステムを構築することが出来る。
【００３８】
尚、十分なデータ容量を持つＰＯＳシステムにおいては、グループ番号を全てのＰＯＳ端末に対して同じ番号に設定すれば売上登録情報はＬＡＮ上の全てのＰＯＳ端末でバックアップすることが出来る。
【００３９】
この場合においても、グループ番号がゼロのＰＯＳ端末で売上登録された場合は、どのＰＯＳ端末へも送信されず、また、どのＰＯＳ端末からの受信もこないため、ローカルな記憶部２６、２７、２８の内容は売上登録が発生した自らのＰＯＳ端末のデータのみとなる。
【００４０】
【発明の効果】
本発明によれば、障害が起こった際にデータ復旧元になるデータ処理装置を多くとることによりシステムの信頼性向上が図られる一方、伝送路で結ばれた全てのデータ処理装置（ＰＯＳ端末）でデータを相互にバックアップするシステムに比べ、各データ処理装置当りの所要データ記憶容量を少なくすることが出来、更に、システムを適用しようとする店舗その他の場所での状況や、現実に確保可能なデータ記憶容量に合わせてフレキシブルなバックアップシステムを容易に構築することが出来る方法及びこの方法を実行するシステムが提供される。
【図面の簡単な説明】
【図１】本発明のデータバックアップ方法を適用するシステムを説明するための概念図である。
【図２】図１の各相似的な構成及び機能を有するデータ処理装置としてのＰＯＳ端末装置の構成を示すブロック図である。
【図３】図２のＰＯＳ端末装置の記憶装置内の各記憶部におけるデータの蓄積状況の詳細を示す概念図である。
【図４】図２のＰＯＳ端末装置の記憶装置内の特定の記憶部におけるデータ蓄積状況の一例についてその詳細を示す概念図である。
【符号の説明】
１１〜１６　　　　　　　ＰＯＳ端末装置
１７　　　　　　　　　　ハブ
２１　　　　　　　　　　入力装置
２２　　　　　　　　　　入力データ処理部
２３　　　　　　　　　　画面表示部
２４　　　　　　　　　　記憶装置
２５、２６、２７、２８　記憶部
２９　　　　　　　　　　ＬＡＮ通信部
【図１】
2004078415.tif 000003
【図２】
2004078415.tif 000004
【図３】
2004078415.tif 000005
【図４】
2004078415.tif 000006